(57)【要約】【課題】  在高異常があった場合には残置回収を禁止するようにして、在高異常の累積を防止するとともに、在高異常からの復旧作業を容易にする。【解決手段】  制御ユニットＵは紙幣の金種別に次の制御を行う。識別センサー５による識別結果に基づいて、収納部Ｂ〜Ｄおよび出金リジェクト部Ｆに収納されている紙幣の枚数としての収納部在高（Ｘ１）および出金リジェクト部在高（Ｘ２）と、これらの合計である内部在高（Ｘ＝Ｘ１＋Ｘ２）とを管理し、その内部在高が正常であるか否かを判定する。そして、回収指示手段１１ａによる回収指示があった場合、内部在高が正常であると判定されている場合は、回収指示手段による指示に応じて残置回収処理と全回収処理のいずれかを行う。内部在高が正常でないと判定されている場合は、回収指示手段による残置回収の指示には応ずることなく、回収指示手段による全回収の指示に応じた全回収処理のみを行う。【選択図】  図２
2005100263.tif 000002
【特許請求の範囲】
【請求項１】
外部から貨幣を導入する貨幣導入部と、
この導入部より導入した導入貨幣の金種を識別する導入貨幣識別手段と、
この導入貨幣識別手段による識別結果に応じて、前記導入貨幣を金種別に収納する収納部と、
この収納部に収納されている貨幣を外部へ放出する貨幣放出部と、
前記収納部に収納されている貨幣を、特定の放出条件に応じて、当該収納部から取り出して前記放出部より放出させるように制御する制御手段と、
前記収納部から取り出された出金貨幣の金種を識別する出金貨幣識別手段と、
この出金貨幣識別手段によって正常でないと判別された出金リジェクト貨幣を収納する出金リジェクト部と、
前記制御手段に対して、貨幣の金種別に前記放出条件としての残置回収と全回収のいずれかを指示する回収指示手段と、
を備え、
前記制御手段は更に、貨幣の金種別に、
（ａ）前記導入貨幣識別手段および前記出金貨幣識別手段による識別結果に基づいて、前記収納部に収納されている貨幣の枚数としての収納部在高（Ｘ１）および前記出金リジェクト部に収納されている貨幣の枚数としての出金リジェクト部在高（Ｘ２）と、これらの在高の合計である内部在高（Ｘ＝Ｘ１＋Ｘ２）とを管理し、その内部在高が正常であるか否かを判定すると共に、
（b1）前記内部在高が正常であると判定されている場合においては、
（b11）前記回収指示手段による残置回収の指示に応じて、前記収納部在高（Ｘ１）から、前記収納部に残置すべき貨幣の枚数としての残置設定高（Ｙ）を差し引いた値である残置回収高（Ｚ＝Ｘ１−Ｙ）分だけ、前記収納部に収納されている貨幣を取り出して前記放出部より放出させる残置回収処理を行うと共に、
（b12）前記回収指示手段による全回収の指示に応じて、前記収納部に収納されている全ての貨幣を取り出して前記放出部より放出させる全回収処理を行い、
（b2）前記内部在高が正常でないと判定されている場合においては、前記回収指示手段による残置回収の指示には応ずることなく、前記回収指示手段による全回収の指示に応じた前記全回収処理のみを行う、
ように構成されている、ことを特徴とする貨幣取扱装置。
【請求項２】
前記出金貨幣識別手段は、前記出金リジェクト貨幣のうち、特に前記収納部から複数枚重ねて取り出されてしまったものを重なり貨幣として識別可能であり、
前記制御手段は、前記出金貨幣識別手段が前記重なり貨幣を識別していた場合に、前記内部在高が正常でないと判定するように構成されている、ことを特徴とする請求項１記載の貨幣取扱装置。
【請求項３】
前記制御手段によって前記内部在高が正常でないと判定されている場合に、「当該金種について前記残置回収処理を拒絶する旨」および「当該金種について前記全回収処理を促す旨」の少なくとも一方の内容を表示する表示手段を更に備えた、ことを特徴とする請求項１又は２記載の貨幣取扱装置。
【請求項４】
前記収納部から取り出された貨幣を、外部へ取り出し可能に収納する回収容器を更に備え、
前記残置回収処理および前記全回収処理は、前記収納部から取り出された貨幣を、前記放出部から放出させることに代えて、前記回収容器に収納させることによって行われる、ことを特徴とする請求項１乃至３のいずれかに記載の貨幣取扱装置。
【発明の詳細な説明】
【技術分野】
【０００１】
本発明は、例えば紙幣や硬貨の入出金装置のような循環式の貨幣取扱装置に係り、特に内部に収納されていた貨幣を全て回収する全回収と、一部を残して回収する残置回収とを選択的に行えるように構成された貨幣取扱装置に関する。
【背景技術】
【０００２】
従来より、紙幣や硬貨の入出金装置においては一般に、１日の業務終了後、内部に収納されていた貨幣を全て回収する全回収と、翌日の釣銭のために一部を残して回収する残置回収のいずれかが行われている。そのような貨幣取扱装置としては、特許文献１（［０００５］、［００１１］、［００３６］欄等）に記載された貨幣入出金装置がある。この入出金装置は、内部に収納されていた貨幣を所定の金額相当分だけ残して回収する定額残置回収を行えるように構成されている。
【特許文献１】特開平１１−２１３２１３号公報
【発明の開示】
【発明が解決しようとする課題】
【０００３】
上述したような従来の貨幣取扱装置には、次のような問題点がある。すなわち、出金時の複数枚繰出し等があった場合、内部に収納されている金種毎の貨幣の枚数としての内部在高が正確に把握できなくなる「在高異常」が生じ得る。しかし、従来の貨幣取扱装置では、そのような在高異常があったとしても通常通りに残置回収が行われてしまい、事態に気付くまで在高異常が累積し続けることになる。また、在高異常に気付いたとしても、これを解除して所期の残置状態に戻すためには、全ての金種の貨幣を一旦全回収してから、金種毎に残置すべき分だけ再装填する必要がある。このため、在高異常からの復旧作業が極めて煩雑なものとなる。
【０００４】
本発明は、このような点を考慮してなされたものであり、在高異常があった場合には残置回収を禁止するようにして、在高異常の累積を防止するとともに、在高異常からの復旧作業を容易にすることができるような貨幣取扱装置を提供することを目的とする。
【課題を解決するための手段】
【０００５】
第１の発明は、外部から貨幣を導入する貨幣導入部と、この導入部より導入した導入貨幣の金種を識別する導入貨幣識別手段と、この導入貨幣識別手段による識別結果に応じて、前記導入貨幣を金種別に収納する収納部と、この収納部に収納されている貨幣を外部へ放出する貨幣放出部と、前記収納部に収納されている貨幣を、特定の放出条件に応じて、当該収納部から取り出して前記放出部より放出させるように制御する制御手段と、前記収納部から取り出された出金貨幣の金種を識別する出金貨幣識別手段と、この出金貨幣識別手段によって正常でないと判別された出金リジェクト貨幣を収納する出金リジェクト部と、前記制御手段に対して、貨幣の金種別に前記放出条件としての残置回収と全回収のいずれかを指示する回収指示手段と、を備え、前記制御手段は更に、貨幣の金種別に、
（ａ）前記導入貨幣識別手段および前記出金貨幣識別手段による識別結果に基づいて、前記収納部に収納されている貨幣の枚数としての収納部在高（Ｘ１）および前記出金リジェクト部に収納されている貨幣の枚数としての出金リジェクト部在高（Ｘ２）と、これらの在高の合計である内部在高（Ｘ＝Ｘ１＋Ｘ２）とを管理し、その内部在高が正常であるか否かを判定すると共に、
（b1）前記内部在高が正常であると判定されている場合においては、
（b11）前記回収指示手段による残置回収の指示に応じて、前記収納部在高（Ｘ１）から、前記収納部に残置すべき貨幣の枚数としての残置設定高（Ｙ）を差し引いた値である残置回収高（Ｚ＝Ｘ１−Ｙ）分だけ、前記収納部に収納されている貨幣を取り出して前記放出部より放出させる残置回収処理を行うと共に、
（b12）前記回収指示手段による全回収の指示に応じて、前記収納部に収納されている全ての貨幣を取り出して前記放出部より放出させる全回収処理を行い、
（b2）前記内部在高が正常でないと判定されている場合においては、前記回収指示手段による残置回収の指示には応ずることなく、前記回収指示手段による全回収の指示に応じた前記全回収処理のみを行う、
ように構成されている、ことを特徴とする貨幣取扱装置である。
【０００６】
この第１の発明によれば、内部在高が正常でないと判定されている金種の貨幣については、回収指示手段による残置回収の指示には応ずることなく、回収指示手段による全回収の指示に応じた全回収処理のみを行うこととしている。また、内部在高が正常であると判定されている金種の貨幣については、回収指示手段による残置回収の指示に応じて残置回収処理を行うことができる。そして、全回収処理を行った金種の貨幣についてのみ、残置設定高分の再装填（収納部への再収納）を行うだけで、所期の残置状態に戻すことができる。
【０００７】
第２の発明は、第１の発明において、前記出金貨幣識別手段は、前記出金リジェクト貨幣のうち、特に前記収納部から複数枚重ねて取り出されてしまったものを重なり貨幣として識別可能であり、前記制御手段は、前記出金貨幣識別手段が前記重なり貨幣を識別していた場合に、前記内部在高が正常でないと判定するように構成されているものである。
【０００８】
第３の発明は、第１又は第２の発明において、前記制御手段によって前記内部在高が正常でないと判定されている場合に、「当該金種について前記残置回収処理を拒絶する旨」および「当該金種について前記全回収処理を促す旨」の少なくとも一方の内容を表示する表示手段を更に備えたものである。
【０００９】
この第３の発明によれば、内部在高が正常でないと判定されている場合であっても、使用者が残置回収の指示をしてからこれを強制的に拒絶するのではなく、使用者が自発的に全回収の指示を行うように誘導することができる。
【００１０】
第４の発明は、第１乃至第３の発明のいずれかにおいて、前記収納部から取り出された貨幣を、外部へ取り出し可能に収納する回収容器を更に備え、前記残置回収処理および前記全回収処理は、前記収納部から取り出された貨幣を、前記放出部から放出させることに代えて、前記回収容器に収納させることによって行われるものである。
【００１１】
貨幣を大量に回収する必要がある場合には、この第４の発明のように回収容器を用いるのが便利である。
【発明の効果】
【００１２】
このように、本発明によれば、残置回収処理を行う際に、在高異常があった場合には残置回収を禁止するようにして、在高異常の累積を防止することができる。また、全回収処理を行った金種の貨幣についてのみ、残置設定高分の再装填を行うだけで、所期の残置状態に戻すことができるので、在高異常からの復旧作業を容易にすることができる。
【発明を実施するための最良の形態】
【００１３】
次に、図面を参照して本発明の一実施形態について説明する。図１乃至図３は本発明による貨幣取扱装置を紙幣入出金装置として構成した実施の形態を示す図である。以下、本実施形態の構成、動作、作用効果、および変形例について順次説明する。なお、本実施形態における紙幣の移動（導入、搬送、放出、その他）は、全て紙幣の長手方向にて行われる。
【００１４】
［構  成］
図１に示すように、本実施形態の紙幣入出金装置は、筐体１０内の略中央部に軸線を垂直にして配置された搬送ドラム１と、この搬送ドラム１を回転駆動するモータ２とを備えている。また、筐体１０内には、入金紙幣繰込ユニット（貨幣導入部）Ａ、金種別収納部Ｂ，Ｃ，Ｄ、出金紙幣放出ユニット（貨幣放出部）Ｅ、出金リジェクト部Ｆおよび紙幣回収カセット（貨幣回収容器）Ｇが、搬送ドラム１の外周を取り囲むようにして配置されている。そのうち、繰込ユニットＡ、放出ユニットＥ、出金リジェクト部Ｆおよび回収カセットＧは筐体１０の前面側に配置され、各収納部Ｂ，Ｃ，Ｄは筐体１０の後面側に配置されている。
【００１５】
図１および図３に示すように、筐体１０の前面には、繰込ユニットＡに対応した入金口１２と、放出ユニットＥに対応した出金口１４とが設けられている。また、筐体１０の前面には、紙幣回収カセットＧの前面パネルが露出している。回収カセットＧは、筐体１０に対して着脱自在に取り付けられている。この紙幣回収カセットＧの取り外しは、解錠操作を行った上で筐体１０から前方へ引き出すようにして行われる。また、図３に示すように、筐体１０の前部上面には、各種の表示ランプや操作ボタン等を有する表示・操作部１１が設けられている。
【００１６】
図１において、繰込ユニットＡは、入金口１２に挿入された入金紙幣を導入して、それらの紙幣を搬送ドラム１側へ繰り出すためのものである。また、各収納部Ｂ，Ｃ，Ｄは、導入された入金紙幣（導入貨幣）を金種別に収納するためのものであり、通常は千円札収納部Ｂ、２千円／５千円札（混合）収納部Ｃおよび万円札収納部Ｄとして用いられる。そして、放出ユニットＥは、各収納部Ｂ，Ｃ，Ｄから取り出された出金紙幣（出金貨幣）を放出し、それらの紙幣を出金口１４からの抜き取りに供するためのものである。
【００１７】
出金リジェクト部Ｆは、後述する「出金リジェクト紙幣（出金リジェクト貨幣）」を収納するためのものである。また、回収カセットＧは、各収納部Ｂ，Ｃ，Ｄから回収した回収紙幣を外部へ取り出し可能に収納するためのものである。この回収カセットＧは、いずれかの収納部Ｂ，Ｃ，Ｄが満杯で対応する入金紙幣を収納できない場合に、その入金紙幣を収納するためにも用いられる。なお、上記放出ユニットＥは、回収カセットＧに代えて、或いは回収カセットＧと併用する形で、各収納部Ｂ，Ｃ，Ｄから回収した回収紙幣を放出するためにも用いられる。放出ユニットＥは、更に、後述する「入金リジェクト紙幣」が放出される入金リジェクト部をも兼ねている。
【００１８】
以上の繰込ユニットＡ、各収納部Ｂ，Ｃ，Ｄ、放出ユニットＥ、出金リジェクト部Ｆおよび回収カセットＧの内部構成としては周知ないし公知のものを用いることができるので、詳細な説明は省略する。
【００１９】
搬送ドラム１の外周には、環状を成す紙幣の周回搬送路４が形成されている。また、繰込ユニットＡ、各収納部Ｂ，Ｃ，Ｄ、放出ユニットＥ、出金リジェクト部Ｆおよび回収カセットＧと周回搬送路４との間をそれぞれ接続する紙幣の接続搬送路６ａ〜６ｇが形成されている。これらの搬送路４，６ａ〜６ｇは、搬送ドラム１の周囲に設けられたガイド板８によって（周回搬送路４については搬送ドラム１外周面との間で）形成されている。また、搬送ドラム１の外周面に対して弾性的に押圧される複数の押圧ローラ３が、搬送ドラム１の周方向に間隔を置いて配置されている。
【００２０】
周回搬送路４の右側部分には、そこを通過する紙幣（入金紙幣および出金紙幣）の金種を識別するための識別センサ（導入貨幣識別手段／出金貨幣識別手段）５が設けられている。この識別センサ５は、後述する「出金リジェクト紙幣」のうち、特に収納部Ｂ，Ｃ，Ｄから複数枚重ねて取り出されてしまったものを「重なり紙幣（重なり貨幣）」として識別可能となっている。識別センサ５は、例えば光学センサとして構成され、互いに周回搬送路４を挟んで対向配置される２つのセンサ部品５ａ，５ｂを有している。なお、接続搬送路６ｅおよび６ｆが接続される放出ユニットＥおよび出金リジェクト部Ｆの入口部分には、紙幣の集積を補助するためのゴム羽根車９がそれぞれ設けられている。
【００２１】
次に、周回搬送路４と各接続搬送路６ａ〜６ｇとの間で紙幣の搬送経路を切り換える経路切換手段７ａ〜７ｇが、周回搬送路４に沿って配置されている。これらの切換手段７ａ〜７ｇの構成態様は、接続搬送路６ａ〜６ｄ，６ｆ，６ｇに対応する揺動式のガイド部材７ａ〜７ｄ，７ｆ，７ｇと、接続搬送路６ｅに対応する並進移動式のガイド部材７ｅとに分けられる。なお、接続搬送路６ｆは周回搬送路４に直接接続されているわけではなく、接続搬送路６ａを介して接続されている。従って、揺動ガイド部材７ｆによる周回搬送路４から接続搬送路６ｆへの搬送経路の切り換えは、揺動ガイド部材７ａとの連携においてなされることになる。
【００２２】
以上のような搬送ドラム１、モータ２、各ガイド部材７ａ〜７ｆ等によって、繰込ユニットＡ、各収納部Ｂ，Ｃ，Ｄ、放出ユニットＥ、出金リジェクト部Ｆおよび回収カセットＧの間で紙幣を選択的に搬送する搬送手段が構成されている。
【００２３】
図２には、この紙幣入出金装置の制御ユニット（制御手段）Ｕが示されている。この制御ユニットＵには、繰込ユニットＡ、各収納部Ｂ，Ｃ，Ｄ、放出ユニットＥおよび識別センサ５と、上記搬送手段Ｔを構成する搬送ドラム用のモータ２および各ガイド部材７ａ〜７ｆ（実際には、図示しないガイド部材の駆動手段）とが接続されている。
【００２４】
表示・操作部１１には、操作ボタン等で構成される回収指示手段１１ａと、液晶パネル等で構成される表示手段１１ｂとが設けられている。これらの回収指示手段１１ａおよび表示手段１１ｂも制御ユニットＵに接続されている。このうち、回収指示手段１１ａは、制御ユニットＵに対して、紙幣の金種別に残置回収と全回収のいずれかを選択的に指示するためのものである。
【００２５】
そして、制御ユニットＵは、各収納部Ｂ，Ｃ，Ｄに収納されている紙幣を、特定の放出条件（出金や回収の指示）に応じて、収納部Ｂ，Ｃ，Ｄから取り出して放出部より放出（或いは回収カセットＧに収納）させるように制御する。また、制御ユニットＵは、紙幣の金種別に、以下の（ａ）および（ｂ）のような制御を行うように構成されている。
【００２６】
（ａ）識別センサー５による識別結果に基づいて、収納部Ｂ，Ｃ，Ｄに収納されている紙幣の枚数としての収納部在高（Ｘ１）および出金リジェクト部Ｆに収納されている紙幣の枚数としての出金リジェクト部在高（Ｘ２）と、これらの在高の合計である内部在高（Ｘ＝Ｘ１＋Ｘ２）とを管理し、その内部在高が正常であるか否かを判定する。具体的には、出金時に識別センサー５が上記重なり紙幣を識別していた場合に、内部在高が正常でないと判定する。
【００２７】
（ｂ）回収指示手段１１ａによる回収指示があった場合、内部在高の判定に応じて、以下の（b1）または（b2）のいずれかの制御を行う：
（b1）内部在高が正常であると判定されている場合においては、
（b11）回収指示手段１１ａによる残置回収の指示に応じて、収納部在高（Ｘ１）から、収納部Ｂ，Ｃ，Ｄに残置すべき紙幣の枚数としての残置設定高（Ｙ）を差し引いた値である残置回収高（Ｚ＝Ｘ１−Ｙ）分だけ、収納部Ｂ，Ｃ，Ｄに収納されている紙幣を取り出して放出部より放出させる「残置回収処理」を行うと共に、
（b12）回収指示手段１１ａによる全回収の指示に応じて、収納部Ｂ，Ｃ，Ｄに収納されている全ての紙幣を取り出して放出部より放出させる「全回収処理」を行い；
（b2）内部在高が正常でないと判定されている場合においては、回収指示手段１１ａによる残置回収の指示には応ずることなく、回収指示手段１１ａによる全回収の指示に応じた全回収処理のみを行う。また、このとき、表示手段１１ｂに「当該金種について残置回収処理を拒絶する旨」および「当該金種について全回収処理を促す旨」の少なくとも一方の内容を（例えば文字や記号等で）表示させる。
【００２８】
なお、上記（ａ）において、重なり紙幣の識別があった場合に内部在高が正常でないと判定するのは、次のような理由による。すなわち、収納部Ｂ，Ｃ，Ｄから複数枚重ねて取り出されてしまった重なり紙幣は、その枚数が正確に把握できなくなる。このため、出金リジェクト紙幣に重なり紙幣が含まれていた場合、収納部在高（Ｘ１）と出金リジェクト部在高（Ｘ２）、ひいては内部在高（Ｘ＝Ｘ１＋Ｘ２）も正確に把握できなくなるからである。
【００２９】
［動  作］
次に、本実施形態の紙幣入出金装置の動作について、主に図１を参照して説明する。
【００３０】
（１）入金動作
入金口１２から挿入された入金紙幣は、入金紙幣繰込ユニットＡから接続搬送路６ａを通じて周回搬送路４へ（公知の分離繰出し機構によって）１枚ずつ繰り出される。周回搬送路４へ繰り出された紙幣は、搬送ドラム１と押圧ローラ３と間で挟持された状態で、搬送ドラム１の反時計回りの回転に従って周回搬送路４に沿って搬送される。
【００３１】
周回搬送路４を搬送される紙幣は、１周する間に識別センサ５によって金種を識別され、対応する金種の収納部Ｂ，Ｃ，Ｄに収納される。各収納部Ｂ，Ｃ，Ｄへの入金紙幣の収納は、対応するガイド部材７ｂ，７ｃ，７ｄによる周回搬送路４から各接続搬送路６ｂ，６ｃ，６ｄへの搬送経路の切り換え動作によって行われる。
【００３２】
なお、いずれかの収納部Ｂ，Ｃ，Ｄが満杯であるにも拘わらず、対応する金種の紙幣が更に入金された場合、当該入金紙幣は、周回搬送路４から接続搬送路６ｇを通じて紙幣回収カセットＧに収納される。
【００３３】
（２）出金動作
紙幣釣銭機としての紙幣入出金装置は、出金すべき釣銭の額に応じて以下に例示するような出金動作を行う。なお、釣銭紙幣の出金動作に関連するのは、万円札収納部Ｄを除いた、千円札収納部Ｂと２千円／５千円札収納部Ｃのいずれかである。
【００３４】
(2-1)釣銭額３千円の場合
この場合、千円札収納部Ｂから繰り出された３枚の千円札が、接続搬送路６ｂを通じて周回搬送路４へ（公知の分離繰出し機構によって）１枚ずつ繰り出される。周回搬送路４へ繰り出された紙幣は、搬送ドラム１の時計回りの回転に従って周回搬送路４に沿って搬送され、ガイド部材７ｅによる周回搬送路４から接続搬送路６ｅへの搬送経路の切り換え動作によって、出金紙幣放出ユニットＥへ送り込まれる。放出ユニットＥは、３枚の千円札が送り込まれた時点で、それらの紙幣を（公知の機構によって）束の状態で出金口１４から突出させるように放出する。
【００３５】
なお、千円札収納部Ｂには千円札しか収納されていないので、この場合は出金紙幣を周回搬送路４で１周以上させて金種識別を行う必要はない。
【００３６】
(2-2)釣銭額７千円の場合
この場合、まず２千円／５千円札収納部Ｃから最初の紙幣１枚だけが繰り出され、周回搬送路４に沿って時計回りに搬送される。この紙幣は、周回搬送路４を１周以上する間に識別センサ５による金種識別を受けた上で、上記(2-1)の場合と同様にして放出ユニットＥへ送り込まれる。
【００３７】
最初の紙幣の金種が５千円であった場合は、残りの２千円分として千円札収納部Ｂから千円札が２枚繰り出され、上記(2-1)の場合と同様、金種識別を経ることなく放出ユニットＥへ送り込まれる。
【００３８】
次に、最初の紙幣の金種が２千円であった場合は、２千円／５千円札収納部Ｃから２番目の紙幣１枚だけが繰り出され、周回搬送路４で金種識別を受ける。この２番目の紙幣の金種が５千円であった場合は、その５千円札が放出ユニットＥへ送り込まれた時点で出金動作が完了する。一方、２番目の紙幣の金種が２千円であった場合は、この２千円札が放出ユニットＥへ送り込まれると共に、残りの３千円分として千円札収納部Ｂから千円札が３枚繰り出され、金種識別を経ることなく放出ユニットＥへ送り込まれる。
【００３９】
（３）リジェクト動作
入金紙幣の中に汚損等により識別センサ５による金種識別のできない紙幣があった場合、その紙幣は「入金リジェクト紙幣」として、周回搬送路４から接続搬送路６ｅを通じて紙幣放出ユニットＥへ送り込まれる。また、出金紙幣の中に斜行等により識別センサ５による金種識別のできない紙幣（上記重なり紙幣を含む）があった場合、その紙幣は「出金リジェクト紙幣」として、周回搬送路４から接続搬送路６ｆを通じて出金リジェクト部Ｆへ送り込まれる。
【００４０】
（４）回収動作
例えば、１日の営業が終了して、収納部Ｂ，Ｃ，Ｄ内の紙幣を回収したい場合には、回収指示手段１１ａによる全回収または残置回収の指示を行う。但し、上述したように、内部在高が正常でないと判定されている場合においては、回収指示手段１１ａによる残置回収の指示には応ずることなく、回収指示手段１１ａによる全回収の指示に応じた全回収処理のみが行われる。残置回収処理においては、収納部在高（Ｘ１）から、収納部Ｂ，Ｃ，Ｄに残置すべき紙幣の枚数としての残置設定高（Ｙ）を差し引いた値である残置回収高（Ｚ＝Ｘ１−Ｙ）分だけが回収される。
【００４１】
全回収、残置回収のいずれの処理においても、収納部Ｂ，Ｃ，Ｄから繰り出された紙幣が順次、周回搬送路４から接続搬送路６ｇを通じて紙幣回収カセットＧに収納され、或いは接続搬送路６ｅを通じて放出ユニットＥより（出金口１４に）放出される。後者の場合、放出される回収紙幣が所定の放出単位枚数（例えば１０枚）より多い場合には、複数回に分けて放出が行われる。すなわち、放出ユニットＥ内に回収紙幣が単位枚数だけ集積された時点で、それらの回収紙幣が束の状態で出金口１４から突出される。そして、この回収紙幣の束が出金口１４から抜き取られると、再び放出ユニットＥ内に回収紙幣が集積されて行く。最終的に放出ユニットＥ内に集積された回収紙幣が単位枚数以下であった場合には、その枚数の回収紙幣が束の状態で出金口１４から突出され、放出が完了する。
【００４２】
ここで、ある金種の紙幣について内部在高が正常でないと判定されている場合、次のようにして在高異常からの復旧作業が行われる。まず、当該金種の紙幣について、回収指示手段１１ａによる全回収の指示に応じた全回収処理が行われる。次に、全回収された紙幣のうち、残置設定高（Ｙ）分の紙幣を、入金口１２から入金紙幣繰込ユニットＡにより導入して、対応する金種の収納部Ｂ，Ｃ，Ｄに収納（再装填）する。これにより、当該金種の収納部Ｂ，Ｃ，Ｄを所期の残置状態（収納部在高（Ｘ１）＝残置設定高（Ｙ））に戻すことができる。
【００４３】
［作用効果］
本実施形態の紙幣入出金装置によれば、内部在高が正常でないと判定されている金種の紙幣については、回収指示手段１１ａによる残置回収の指示には応ずることなく、回収指示手段１１ａによる全回収の指示に応じた全回収処理のみを行うこととしている。また、内部在高が正常であると判定されている金種の紙幣については、回収指示手段による残置回収の指示に応じて残置回収処理を行うことができる。このように、残置回収処理を行う際に、在高異常があった場合には残置回収を禁止するようにして、在高異常の累積を防止することができる。
【００４４】
また、全回収処理を行った金種の紙幣についてのみ、残置設定高分の再装填を行うだけで、当該金種の収納部Ｂ，Ｃ，Ｄを所期の残置状態に戻すことができる。このため、在高異常からの復旧作業を容易にすることができる。
【００４５】
さらに、内部在高が正常でないと判定されている場合、表示手段１１ｂに「当該金種について残置回収処理を拒絶する旨」および「当該金種について全回収処理を促す旨」の少なくとも一方の内容を表示させるようにした。これにより、使用者が残置回収の指示をしてしまってからこれを強制的に拒絶するまでもなく、使用者が自発的に全回収の指示を行うように誘導することができる。
【００４６】
［変形例］
（１）本実施形態の紙幣入出金装置において、日本国通貨としての千円、２千円、５千円および万円札を入出金対象とする場合について説明したが、入出金対象とする紙幣の金種は、外国通貨も含めて任意に設定可能である。また、金種別収納部の数も必要に応じて任意に設定することができる。例えば２千円札収納部と５千円札収納部とを別個に設けることも可能であり、その場合は、上記のような出金時の金種識別も不要となる。
【００４７】
（２）本発明の一実施形態としての紙幣入出金装置について説明したが、本発明はこれには限定されない。例えば、本発明による貨幣取扱装置は、硬貨入出金装置等の硬貨を取り扱う装置であってもよく、また紙幣と硬貨の両方を取り扱う装置であってもよい。
【図面の簡単な説明】
【００４８】
【図１】本発明による貨幣取扱装置の一実施形態としての紙幣入出金装置を示す水平断面図。
【図２】図１に示す紙幣入出金装置の制御系を示すブロック図。
【図３】図１に示す紙幣入出金装置の外観を示す斜視図。
【符号の説明】
【００４９】
Ａ  入金紙幣繰込ユニット（貨幣導入部）
Ｂ  千円札収納部（貨幣収納部）
Ｃ  ２千円／５千円札収納部（貨幣収納部）
Ｄ  万円札収納部（貨幣収納部）
Ｅ  出金紙幣放出ユニット（貨幣放出部）
Ｆ  出金リジェクト部
Ｇ  紙幣回収カセット（貨幣回収容器）
Ｔ  搬送手段
Ｕ  制御ユニット（制御手段）
１  搬送ドラム
２  搬送ドラム用モータ
３  押圧ローラ
４  周回搬送路
５  識別センサ（導入貨幣識別手段／出金貨幣識別手段）
６ａ〜６ｇ  接続搬送路
７ａ〜７ｇ  ガイド部材
８  ガイド板
１０  筐体
１１  表示・操作部
１１ａ  回収指示手段
１１ｂ  表示手段
１２  入金口
１４  出金口
【図１】
2005100263.tif 000003
【図２】
2005100263.tif 000004
【図３】
2005100263.tif 000005